(57)【要約】      （修正有）【課題】外部から印加される磁界を遮蔽させると共に小型化できる磁気遮蔽型変流器を提供する。【解決手段】磁気遮蔽型変流器１００は、板状のリボンが多数回巻き取られたリング状のコア１１０、コアを収容するボビン１２０、ボビンの外周面に沿って巻線されるコイル１３０を含むマグネチックコアモジュール、マグネチックコアモジュールの外周面および両側面を取り囲むものの、両側面の中央に貫通口を具備した鉄からなる遮蔽部材１５０と、マグネチックコアモジュール及び遮蔽部材を保護するための外装ケース１６０を含む。【効果】外部から印加される磁界が遮蔽部材を通じて磁気経路を形成するので外部磁界がマグネチックコアモジュールに伝達されず、安定して外部磁界の影響を遮断させることができる。【選択図】図４
2020191466.tif 000002
【特許請求の範囲】
【請求項１】
板状のリボンが多数回巻き取られたリング状のコア、前記コアを収容するボビン、前記ボビンの外周面に沿って巻線されるコイルを含むマグネチックコアモジュール；
前記マグネチックコアモジュールの外周面および両側面を取り囲むものの、前記両側面の中央に貫通口を具備した鉄からなる遮蔽部材；および
前記マグネチックコアモジュールおよび前記遮蔽部材を保護するための外装ケース；を含む、磁気遮蔽型変流器。
【請求項２】
前記遮蔽部材は、内部に中空部を有する円筒状に形成されるものの、前記円筒が外周面に沿って分離された一対の遮蔽ケースからなり、前記貫通口が前記一対の遮蔽ケースの各側面に備えられる、請求項１に記載の磁気遮蔽型変流器。
【請求項３】
前記一対の遮蔽ケースは、前記外周面をなす側壁の大きさが均一な、請求項２に記載の磁気遮蔽型変流器。
【請求項４】
前記一対の遮蔽ケースは、前記外周面をなす側壁の大きさが互いに異なる、請求項２に記載の磁気遮蔽型変流器。
【請求項５】
前記一対の遮蔽ケースのうち一つは前記外周面をなす側壁の幅が前記円筒の外周面の幅と同じであり、前記一対の遮蔽ケースのうち他の一つは板状である、請求項２に記載の磁気遮蔽型変流器。
【請求項６】
前記一対の遮蔽ケースは、前記外周面の分離された部位に前記コイルを引き出すための溝部を具備する、請求項２に記載の磁気遮蔽型変流器。
【請求項７】
前記貫通口は、その内径が前記マグネチックコアモジュールの外径より大きい、請求項１に記載の磁気遮蔽型変流器。
【請求項８】
前記ボビンは、
内部に備えられた円筒形側壁と前記外周面との間の空間に前記コアが収容されるボビンケース；および
中央に貫通口を具備し、前記ボビンケースを覆うボビン蓋を含む、請求項１に記載の磁気遮蔽型変流器。
【請求項９】
前記ボビンケースと前記ボビン蓋は締り嵌め方式で結合される、請求項８に記載の磁気遮蔽型変流器。
【請求項１０】
前記ボビンケースは、前記円筒形側壁の内側に備えられた第１段差部；および前記外周面の内側に備えられた第２段差部をさらに含み、
前記ボビン蓋は前記貫通口に沿って前記ボビンケース側に延長形成された突出部を含み、
前記第１段差部には前記ボビン蓋の外周辺が載置され、前記第２段差部には前記突出部が載置される、請求項８に記載の磁気遮蔽型変流器。
【請求項１１】
前記コイルはその外面に絶縁性コーティング材または絶縁性テープを具備する、請求項１に記載の磁気遮蔽型変流器。
【請求項１２】
前記遮蔽部材の中空部および前記外装ケースの内部にモールディングされるエポキシ樹脂をさらに含む、請求項１に記載の磁気遮蔽型変流器。
【請求項１３】
前記外装ケースは、
前記遮蔽部材の貫通口と同心円で備えられた円筒形側壁と外周面に沿って備えられた外壁との間に空間が形成された第１ケース；および
前記第１ケースの円筒形側壁と同心円で備えられた円筒形側壁と外周面に沿って備えられた外壁との間に空間が形成された第２ケースを含み、
前記第１ケースおよび前記第２ケースの空間に前記マグネチックコアモジュールおよび前記遮蔽部材が収容される、請求項１に記載の磁気遮蔽型変流器。
【請求項１４】
前記外装ケースは、
前記第１ケースの外周面に備えられた結合輪；および
前記第２ケースの外周面で前記結合輪の対応する位置に備えられた結合溝をさらに含む、請求項１３に記載の磁気遮蔽型変流器。
【発明の詳細な説明】
【技術分野】
【０００１】
本発明は変流器に関するものであって、さらに詳細には外部から印加される磁界を遮蔽させると共に小型化できる、磁気遮蔽型変流器に関するものである。
【背景技術】
【０００２】
一般的に家庭や工場などで使われる電力量計は機械式と電子式に区分され、高い信頼度と安定した検針および小型化などの長所を有しているため、電子式電力量計が普遍化している。最近では、遠隔検針または建物の内部の電子機器別検針機能を具備したスマートメーターが登場した。
【０００３】
このような電子式電力量計は、電力の使用量を算出するために電流と電圧を検出するようになるが、この時、電流の検出は、変流器（ｃｕｒｒｅｎｔ  ｔｒａｎｓｆｏｒｍｅｒ）、シャント抵抗（ｓｈｕｎｔ  ｒｅｓｉｓｔａｎｃｅ）、ホール効果センサ（Ｈａｌｌ
ｅｆｆｅｃｔ  ｓｅｎｓｏｒ）電流センサ、ロゴスキーコイル（ｒｏｇｏｗｓｋｉｉ  ｃｏｉｌ）等のような電流センサを利用する。
【０００４】
前述した電流センサのうち、電力消費量、電気絶縁、温度による出力変化率、ＤＣオフセットなどのような主要特性を満足させつつも、相対的に低廉な変流器が電子式電力量計において多くの比重を占めている。
【０００５】
このような変流器は、電源による大きな電流を小さな電流に変流させて電流を検出し、変換比率によって実際に供給された電流を検出する。ここで、変換比率は変流器のコアに巻線されるコイルのターン数で決定される。
【０００６】
このような変流器は、内部に特定の組成のコア（鉄心）を具備して外部で一定の大きさ以上の磁界の影響を受けるようになると、コアで発生する磁束が歪曲または相殺されて正確な変流が行われないため、電流検出に誤差が発生する。
【０００７】
このような原理を利用して、電力量計の外部で磁石を利用して磁界を発生させることによって、電力の使用量を減少させる、いわゆる「盗電」が発生するようになる。特に、遵法精神の低い地域（例えば、低開発国）では磁石を利用した盗電が増加する趨勢である。
【０００８】
これを解決するために、変流器と電力量計の外部ケースとの間の距離を十分に確保することによって外部で磁石による影響力を縮小させることができるが、変流器と電力量計の外部ケースとの間の距離を増加させることは、電力量計の全体の大きさを不要に増加させるだけでなく、機器の小型化の趨勢にも反することである。特に、電力量計はその内部で変流器が一側に偏重して配置されるのが一般的であり、前記の方法は電力量計の大きさをさらに増加させるため、実用的ではない。
【０００９】
したがって、外部磁界による影響を遮蔽させながらも電力量計の小型化および変流器自体の小型化を低費用で具現できる変流器の開発が急を要しているのが実情である。
【発明の概要】
【発明が解決しようとする課題】
【００１０】
本発明は前記のような点を勘案して案出されたものであって、外部から印加される磁界を遮蔽できると共に低費用で具現することができ、変流器自体の小型化および電力量計の小型化に寄与できる磁気遮蔽型変流器を提供することにその目的がある。
【課題を解決するための手段】
【００１１】
前述した課題を解決するために、本発明は板状のリボンが多数回巻き取られたリング状のコア、前記コアを収容するボビン、前記ボビンの外周面に沿って巻線されるコイルを含むマグネチックコアモジュール；前記マグネチックコアモジュールの外周面および両側面を取り囲むものの、前記両側面の中央に貫通口を具備した鉄からなる遮蔽部材；および前記マグネチックコアモジュールおよび前記遮蔽部材を保護するための外装ケース；を含む、磁気遮蔽型変流器を提供する。
【００１２】
本発明の好ましい実施例によると、前記遮蔽部材は内部に中空部を有する円筒状に形成されるものの、前記円筒が外周面に沿って分離された一対の遮蔽ケースからなり、前記貫通口が前記一対の遮蔽ケースの各側面に備えられ得る。
【００１３】
また、前記一対の遮蔽ケースは、前記外周面をなす側壁の大きさが均一であり得る。
【００１４】
また、前記一対の遮蔽ケースは、前記外周面をなす側壁の大きさが互いに異なり得る。
【００１５】
また、前記一対の遮蔽ケースのうち一つは前記外周面をなす側壁の幅が前記円筒の外周面の幅と同じであり、前記一対の遮蔽ケースのうち他の一つは板状であり得る。
【００１６】
また、前記一対の遮蔽ケースは前記外周面の分離された部位に前記コイルを引き出すための溝部を具備することができる。
【００１７】
また、前記貫通口はその内径が前記マグネチックコアモジュールの外径より大きくてもよい。
【００１８】
また、前記ボビンは、内部に備えられた円筒形側壁と前記外周面との間の空間に前記コアが収容されるボビンケース；および中央に貫通口を具備し、前記ボビンケースを覆うボビン蓋を含むことができる。
【００１９】
また、前記ボビンケースと前記ボビン蓋は締り嵌め方式で結合され得る。
【００２０】
また、前記ボビンケースは、前記円筒形側壁の内側に備えられた第１段差部；および前記外周面の内側に備えられた第２段差部をさらに含み、前記ボビン蓋は前記貫通口に沿って前記ボビンケース側に延長形成された突出部を含み、前記第１段差部には前記ボビン蓋の外周辺が載置され、前記第２段差部には前記突出部が載置され得る。
【００２１】
また、前記コイルはその外面に絶縁性コーティング材または絶縁性テープを具備することができる。
【００２２】
また、前記磁気遮蔽型変流器は、前記遮蔽部材の中空部および前記外装ケースの内部にモールディングされるエポキシ樹脂をさらに含むことができる。
【００２３】
また、前記外装ケースは、前記遮蔽部材の貫通口と同心円で備えられた円筒形側壁と外周面に沿って備えられた外壁との間に空間が形成された第１ケース；および前記第１ケースの円筒形側壁と同心円で備えられた円筒形側壁と外周面に沿って備えられた外壁との間に空間が形成された第２ケースを含み、前記第１ケースおよび前記第２ケースの空間に前記マグネチックコアモジュールおよび前記遮蔽部材が収容され得る。
【００２４】
また、前記外装ケースは、前記第１ケースの外周面に備えられた結合輪；および前記第
２ケースの外周面で前記結合輪の対応する位置に備えられた結合溝をさらに含むことができる。
【発明の効果】
【００２５】
本発明によると、マグネチックコアモジュールの外周面および両側面を遮蔽部材で取り囲むことによって、外部から印加される磁界が遮蔽部材を通じて磁気経路を形成するため、外部磁界がマグネチックコアモジュールに伝達されず、安定して外部磁界の影響を遮断させることができる。
【００２６】
また、本発明は、遮蔽部材を安価の鉄で具現することによって、外部磁界の遮蔽性能を満足させながらも変流器の製造費用を軽減させることができる。
【００２７】
また、本発明は、内部に中空部を有する円筒状の遮蔽部材を外周面に沿って一定の大きさに分離されるように構成することによって、マグネチックコアモジュールが遮蔽部材に容易に収容されるため、製造工程上の便宜性を向上させることができる。
【００２８】
また、本発明は、遮蔽部材を遮蔽力に優れている鉄で構成することによって、変流器と電力量計の外部ケースとの間に距離を設ける必要がないため、変流器の小型化はもちろん電力量計の全体の大きさを小型化することができる。
【図面の簡単な説明】
【００２９】
【図１】本発明の一実施例に係る磁気遮蔽型変流器を示した斜視図。
【図２】図１の分解斜視図。
【図３】図１におけるマグネチックコアモジュールの細部分解斜視図。
【図４】図１の断面図。
【図５】本発明の一実施例に係る磁気遮蔽型変流器の遮蔽部材の他の例を示す斜視図。
【図６】本発明の一実施例に係る磁気遮蔽型変流器を具備した電力量計の構成を示したブロック図。
【発明を実施するための形態】
【００３０】
以下、添付した図面を参照して本発明の実施例について、本発明が属する技術分野で通常の知識を有する者が容易に実施できるように詳細に説明する。本発明は多様な異なる形態で具現され得、ここで説明する実施例に限定されない。図面で本発明を明確に説明するために、説明と関係のない部分は省略したのであり、明細書全体に亘って同一または類似する構成要素については同じ参照符号を付加する。
【００３１】
本発明の一実施例に係る磁気遮蔽型変流器１００は、図１〜図４に図示された通り、マグネチックコアモジュール１０１、遮蔽部材１５０、および外装ケース１６０を含む。
【００３２】
前記マグネチックコアモジュール１０１は、その中央に備えられた貫通口１０２に電力線または電源線が配置されると、前記電力線または電源線に流れる電流によって誘導される磁力による電流を励起して電流量を検出する。このようなマグネチックコアモジュール１０１は、コア１１０、ボビン１２０およびコイル１３０を含む。
【００３３】
前記コア１１０は、板状のリボンが多数回巻き取られたリング状に形成される。この時、前記コア１１０は、非晶質合金のリボンで構成され得る。
【００３４】
前記ボビン１２０は、その内部に前記コア１１０を収容する。このようなボビン１２０は、ボビンケース１２０ａおよびボビン蓋１２０ｂを含むことができる。
【００３５】
前記ボビンケース１２０ａは円筒状に形成されるものの、一側が開放され、その内部で前記コア１１０の内部円と同心円をなす円筒形側壁１２２を具備することができる。この時、前記ボビンケース１２０ａは、前記円筒形側壁１２２と外周面との間の空間１２１にリング状の前記コア１１０が収容され得る。
【００３６】
前記ボビン蓋１２０ｂは、中央に貫通口１２５を具備する板状のリング状に形成され、前記ボビンケース１２０ａの一側の開放部を覆う。ここで、前記貫通口１２５の内径は前記円筒形側壁１２２により形成される内径と実質的に同一に形成され得る。
【００３７】
この時、前記ボビンケース１２０ａと前記ボビン蓋１２０ｂは締り嵌め方式で結合され得る。一例として、前記ボビンケース１２０ａは、図３に図示された通り、前記円筒形側壁１２２の内側に備えられた第１段差部１２３および、前記ボビンケース１２０ａの外周面の内側に備えられた第２段差部１２４を含むことができる。また、前記ボビン蓋１２０ｂは、前記貫通口１２５に沿って前記ボビンケース１２０ａ側に延長形成された突出部１２６を含むことができる。
【００３８】
ここで、前記第１段差部１２３は前記突出部１２６の長さに対応する大きさの段差を具備し、前記第２段差部１２４は前記ボビン蓋１２０ｂの厚さに対応する大きさの段差を具備することができる。
【００３９】
このように、前記ボビンケース１２０ａの前記円筒形側壁１２２と外周面の内側に前記第１段差部１２３および前記第２段差部１２４を具備することによって、前記第１段差部１２３には前記ボビン蓋１２０ｂの外周辺が載置され、前記第２段差部１２４には前記突出部１２６が載置され得る。
【００４０】
この時、前記ボビン蓋１２０ｂの外径は、前記ボビンケース１２０ａで前記第１段差部１２３に形成される内径と実質的に同一であり、前記ボビン蓋１２０ｂの前記貫通口１２５の内径、すなわち、前記突出部１２６により形成される内径は、前記ボビンケース１２０ａの外周面の内側で前記第２段差部１２４により形成される内径と実質的に同一に構成され、したがって前記ボビン蓋１２０ｂは前記ボビンケース１２０ａの開放側で締り嵌め方式で結合され得る。
【００４１】
前記コイル１３０は前記コア１１０に誘導される磁力による電流を生成する。このようなコイル１３０は、前記ボビン１２０の外周面に沿って巻線され得る。この時、前記コイル１３０は、決定された電流変換比率によるターン数で巻線され得る。
【００４２】
このような前記コイル１３０は、導電性鉄からなる前記遮蔽部材１５０との電気的連結を防止するために、その外面に前記絶縁材１４０を具備することができる。一例として、前記絶縁材１４０は絶縁性コーティング材または絶縁性テープであり得る。
【００４３】
前記遮蔽部材１５０は前記マグネチックコアモジュール１０１の外周面および両側面を取り囲むように備えられる。このような遮蔽部材１５０は、安価の鉄で構成されて前記マグネチックコアモジュール１０１の両側面の中央に貫通口１５１を具備する。
【００４４】
この時、前記貫通口１５１の内径は、前記マグネチックコアモジュール１０１の貫通口１０２の直径より小さく形成され、前記貫通口１０２を通過する電源線の直径よりは大きく形成されて、遮蔽部材１５０がマグネチックコアモジュール１０１を完全に取り囲むことができるようにする。
【００４５】
このように、安価の鉄からなる前記遮蔽部材１５０で前記マグネチックコアモジュール１０１の外周面および両側面を取り囲むと、外部から印加される磁界が前記遮蔽部材１５０を通じて磁気経路を形成することができる。そうすると、外部磁界が前記マグネチックコアモジュール１０１に伝達されなくなるため、外部磁界の遮蔽性能を満足させながらも前記磁気遮蔽型変流器１００の製造費用を軽減させることができる。
【００４６】
このような遮蔽部材１５０は図２に図示された通り、内部に中空部１５２を有する円筒状に形成されるものの、前記円筒の外周面に沿って分離された一対の遮蔽ケース１５０ａ、１５０ｂで構成され得る。この時、前記遮蔽部材１５０が前記マグネチックコアモジュール１０１を取り囲むように前記中空部１５２に前記マグネチックコアモジュール１０１が載置され得る。
【００４７】
一例として、前記一対の遮蔽ケース１５０ａ、１５０ｂは、一側が開放され、他側の中央に前記貫通口１５１を具備した、同じ形状で構成され得る。すなわち、前記一対の遮蔽ケース１５０ａ、１５０ｂは、前記外周面をなす側壁１５３の大きさが均一であり得る（図２参照）。この時、前記貫通口１５１は前記一対の遮蔽ケース１５０ａ、１５０ｂの各側面に対応する位置に備えられ得る。
【００４８】
本実施例では、前記一対の遮蔽ケース１５０ａ、１５０ｂが均一な大きさの側壁１５３を有するものとして図示し説明したが、これに限定されず、前記一対の遮蔽ケース１５０ａ、１５０ｂが前記マグネチックコアモジュール１０１を完全に取り囲むように互いに異なる大きさの側壁を具備してもよい。すなわち、前記遮蔽部材１５０はその外周面の任意の位置で分離された形態に形成され得る。
【００４９】
ここで、前記一対の遮蔽ケース１５０ａ、１５０ｂは、外周面をなす前記側壁１５３の分離された部位に前記コイル１３０を引き出すための前記溝部１５４を具備することができる。
【００５０】
このように、内部に中空部１５２を有する円筒状の前記遮蔽部材１５０は、側壁１５３に沿って分離され、前記コイル１３０を引き出すように前記側壁１５３に前記溝部１５４を具備することによって、前記マグネチックコアモジュール１０１を前記遮蔽部材１５０内に容易に収容することができるため、製造工程上の便宜性を向上させることができる。
【００５１】
前記外装ケース１６０は前記マグネチックコアモジュール１０１が内部に結合された前記遮蔽部材１５０を保護する機能を有し、一対のケース１６０ａ、１６０ｂで構成され得る。
【００５２】
ここで、前記第１ケース１６０ａおよび前記第２ケース１６０ｂのそれぞれは、前記遮蔽部材１５０の前記貫通口１５１と同心円で備えられた円筒形側壁１６１、１６１’を具備することができる。この時、前記側壁１６１、１６１’と外周面に沿って備えられた外壁１６２、１６２’との間に形成される空間１６３、１６３’は、前記マグネチックコアモジュール１０１および前記遮蔽部材１５０を収容するためのものである。
【００５３】
また、前記外装ケース１６０は、前記第１ケース１６０ａの前記側壁１６１の外側に結合輪１６４が備えられ、前記第２ケースの前記側壁１６１’で前記結合輪１６４の対応する位置に結合溝１６５が備えられ得る。
【００５４】
このような結合輪１６４および結合溝１６５によって前記外装ケース１６０をなす前記第１ケース１６０ａと前記第２ケース１６０ｂが結合され得る。
【００５５】
併せて、前記磁気遮蔽型変流器１００は、前記遮蔽部材１５０の前記中空部１５２および前記外装ケース１６０の内部にモールディングされる前記エポキシ樹脂１７０をさらに含むことができる。このようなエポキシ樹脂１７０は、前記外装ケース１６０の内部の前記マグネチックコアモジュール１０１および前記遮蔽部材１５０を固定することはもちろん、外部の物理化学的衝撃から保護することができる。
【００５６】
このように、前記外装ケース１６０の内部を磁気遮蔽特性を有する前記エポキシ樹脂１７０でモールディングすることによって、前記遮蔽部材１５０の遮蔽機能の他に付加的な遮蔽機能を提供するため、より薄い厚さの遮蔽部材を利用しつつも外部磁界の影響をさらに遮断させることができ、したがって、前記磁気遮蔽型変流器１００を小型化することができる。
【００５７】
このような磁気遮蔽型変流器１００は図４に図示された通り、前記コア１１０を収容する前記ボビン１２０の外部には前記コイル１３０が巻線されて前記マグネチックコアモジュール１０１を形成する。
【００５８】
この時、前記マグネチックコアモジュール１０１は、外部と遮断された形態の前記遮蔽部材１５０内に収容され得、前記遮蔽部材１５０は前記外装ケース１６０内に装着され得る。ここで、前記遮蔽部材１５０と前記マグネチックコアモジュール１０１との間または前記遮蔽部材１５０と前記外装ケース１６０との間は、前記エポキシ樹脂１７０でモールディングされ得る。
【００５９】
他の例として、図５に図示された通り、本発明の実施例に係る前記磁気遮蔽型変流器１００は前記遮蔽部材１５０’が一つのケース１５０ａ’と板状の蓋１５０ｂ’で構成され得る。
【００６０】
一例として、前記遮蔽部材１５０’をなす一対の遮蔽ケースのうち一つ１５０ａ’は、側壁１５３’の幅が前記遮蔽部材１５０’の外周面の幅と同じであり、一対の遮蔽ケースのうち他の一つ１５０ｂ’は、リング状の板状に形成され得る。
【００６１】
すなわち、一つのケース１５０ａ’は円筒状に形成されるものの、一側は開口され、他側はその中央に貫通口１５１’を具備することができる。この時、前記ケース１５０ｂ’は開口側に前記コイル１３０を引き出すための溝部１５４’が備えられ得、前記蓋１５０ｂ’はその中央に貫通口１５１’’を具備することができる。
【００６２】
このような構成によって、前記マグネチックコアモジュール１０１は、前記ケース１５０ａ’の前記側壁１５３’により形成される内部の中空部１５２’内に完全に収容され得、この状態で前記蓋１５０ｂ’が前記ケース１５０ａ’の開口側を覆うことによって、前記遮蔽部材１５０’は前記マグネチックコアモジュール１０１に対する外部磁界の影響を遮蔽するように前記マグネチックコアモジュール１０１の外周面および両側面を覆うことができる。
【００６３】
前述したような磁気遮蔽型変流器１００は、電力量計内に備えられて電源の電流を検出することによって、電力量の算出に利用され得る。
【００６４】
図６に図示された通り、電力量計１０は電力算出部１１、電力表示部１２、および磁気遮蔽型変流器１００を含む。
【００６５】
前記電力算出部１１は、前記磁気遮蔽型変流器１００を通じて検出した電流量によって消費される電力量を算出することができる。この時、前記電力算出部１１は前記磁気遮蔽
型変流器１００の前記コイル１３０のターン数によって検出された電流量を実際の電流量に変換して電力量を算出することができる。
【００６６】
前記電力表示部１１は、前記電力算出部１２により算出された電力量を表示することができる。このような前記電力表示部１２は、ＬＣＤ、またはＬＥＤからなるディスプレイ装置であり得る。
【００６７】
このように構成された前記電力量計１０は、前記磁気遮蔽型変流器１００が外部磁界を遮蔽させることによって、外部磁界の影響を受けずに誤差なく電力量を測定することができ、したがって盗電を防止することができる。
【００６８】
また、前記電力量計１０は、前記磁気遮蔽型変流器１００を外部ケースに近接配置させる場合にも外部磁界の影響を受けないため、不要な空間を省略することによってコンパクトに配置することができ、したがって、全体の大きさを減少させて小型化され得る。
【００６９】
以上、本発明の一実施例について説明したが、本発明の思想は本明細書に提示される実施例に制限されず、本発明の思想を理解する当業者は同一思想の範囲内で、構成要素の付加、変更、削除、追加などによって他の実施例を容易に提案することができるはずであるが、これもまた本発明の思想範囲内に入るものと言える。
【図１】
2020191466.tif 000003
【図２】
2020191466.tif 000004
【図３】
2020191466.tif 000005
【図４】
2020191466.tif 000006
【図５】
2020191466.tif 000007
【図６】
2020191466.tif 000008
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
電力量計用磁気遮蔽型変流器において、
非晶質合金の板状のリボンが多数回巻き取られたリング状のコア、前記コアを収容するボビン、前記ボビンの外周面に沿って巻線されるコイルを含むマグネチックコアモジュール；
前記マグネチックコアモジュールの外周面および両側面を取り囲むものの、前記両側面の中央に貫通口を具備した鉄からなる遮蔽部材；および
前記マグネチックコアモジュールおよび前記遮蔽部材を保護するための外装ケース；を含み、
前記遮蔽部材は、内部に中空部を有する円筒状に形成されるものの、前記円筒が外周面に沿って分離された一対の遮蔽ケースからなり、前記貫通口が前記一対の遮蔽ケースの各側面に備えられ、
前記遮蔽部材が前記マグネチックコアモジュールを完全に取り囲むように、前記貫通口の内径は、前記マグネチックコアモジュールの貫通口の直径より小さく形成され、前記マグネチックコアモジュールの貫通口を通過する電源線の直径よりは大きく形成され、
前記一対の遮蔽ケースは一つのケースと板状の蓋を含み、
前記一つのケースは前記外周面をなす側壁の幅が前記円筒の外周面の幅と同じであり、前記蓋はリング状であり、
前記マグネチックコアモジュールは前記ケースの側壁により形成される内部の前記中空部内に完全に収容され、前記蓋は前記ケースの開口側を覆う、磁気遮蔽型変流器。
【請求項２】
前記一対の遮蔽ケースは、前記外周面の分離された部位に前記コイルを引き出すための溝部を具備する、請求項１に記載の磁気遮蔽型変流器。
【請求項３】
前記ボビンは、
内部に備えられた円筒形側壁と前記外周面との間の空間に前記コアが収容されるボビンケース；および
中央に貫通口を具備し、前記ボビンケースを覆うボビン蓋を含む、請求項１に記載の磁気遮蔽型変流器。
【請求項４】
前記ボビンケースと前記ボビン蓋は締り嵌め方式で結合される、請求項３に記載の磁気遮蔽型変流器。
【請求項５】
前記ボビンケースは、前記円筒形側壁の内側に備えられた第１段差部；および前記外周面の内側に備えられた第２段差部をさらに含み、
前記ボビン蓋は前記貫通口に沿って前記ボビンケース側に延長形成された突出部を含み、
前記第１段差部には前記ボビン蓋の外周辺が載置され、前記第２段差部には前記突出部が載置される、請求項３に記載の磁気遮蔽型変流器。
【請求項６】
前記コイルはその外面に絶縁性コーティング材または絶縁性テープを具備する、請求項１に記載の磁気遮蔽型変流器。
【請求項７】
前記遮蔽部材の中空部および前記外装ケースの内部にモールディングされるエポキシ樹脂をさらに含む、請求項１に記載の磁気遮蔽型変流器。
【請求項８】
前記外装ケースは、
前記遮蔽部材の貫通口と同心円で備えられた円筒形側壁と外周面に沿って備えられた外壁との間に空間が形成された第１ケース；および
前記第１ケースの円筒形側壁と同心円で備えられた円筒形側壁と外周面に沿って備えられた外壁との間に空間が形成された第２ケースを含み、
前記第１ケースおよび前記第２ケースの空間に前記マグネチックコアモジュールおよび前記遮蔽部材が収容される、請求項１に記載の磁気遮蔽型変流器。
【請求項９】
前記外装ケースは、
前記第１ケースの外周面に備えられた結合輪；および
前記第２ケースの外周面で前記結合輪の対応する位置に備えられた結合溝をさらに含む、請求項８に記載の磁気遮蔽型変流器。